(57)【要約】【課題】  シートは着脱自在で、シートはかさばらず、シートは丸めたり折りたたんだりして持ち運べる、吸水防臭・その他の効果をもたらすシートのシート交換式インソールを提供する。【解決手段】  多数の小孔が貫通した２枚のインソールを組み合わせ、それが開閉できるようにし、その２枚のインソールの間に防湿防臭・その他の効果をもたらすシートを設置するシート交換式インソール。【選択図】図１
2008302177.tif 000002
【特許請求の範囲】
【請求項１】
多数の小孔が貫通した２枚のインソールを組み合わせ、それが開閉できるようにし、その２枚のインソールの間に、吸水防臭・その他の効果をもたらすシートを着脱自在になるように設置したシート交換式インソール。
【請求項２】
下部のインソールに凸部を数ヶ所付け、それに対応した位置にシートに穴を設け、シートを着脱自在にした請求項１のシート交換式インソール。
【発明の詳細な説明】
【技術分野】
【０００１】  本発明は、靴の蒸れや臭いを効果的に取り除いたり、その他の効果をもたらすシートのシート交換式インソールに関するものである。
【背景技術】
【０００２】  従来、シート交換式でない吸水防臭のインソールは、汗を多くかく夏などは特にすぐに機能の限界がきてしまった。
また、今まで発明されたシート交換式のものは、インソールの下にシートを取り付けるので、シートを柔らかいもので作るとインソールを靴に挿入するときに、シートがつま先の方に寄ってしまうし、歩くとシートにしわが寄ってしまうので、シートを硬いもので作らなければならないが、そうなるとシート自体がかさばって持ち運びに不便である（特許文献１）。
また、交換式のもので両面テープを使用するものもあるが、シートの交換に手間がかかる。（特許文献２）
【特許文献１】登録実用新案３１１２２６０号
【特許文献２】登録実用新案３０５０５２７号。
【発明の開示】
【発明が解決しようとする課題】
【０００３】    そのために、次のような問題点があった。
（イ）シート交換式でない吸水防臭のインソールは、汗を多くかく夏場などは特にすぐに機能の限界がきてしまった。
（ロ）シート交換式でインソールの下にただシートを置くだけの場合は、シートを柔らかいもので作るとインソールを靴に挿入するときに、シートがつま先の方に寄ってしまうし、歩くとシートにしわが寄ってしまうので、シートを硬いもので作らなければならないが、そうなるとシート自体がかさばって持ち運びに不便である。
（ハ）シート交換式のもので両面テープでインソールとシートを接着させて使用するものは、シートの交換に手間がかかる。
本発明は以上の問題点を解決しようとするものである。
【課題を解決するための手段】
【０００４】    多数の小孔が貫通した２枚のインソールを上下に組み合わせ、それが開閉できるようにし、その２枚のインソールの間に吸水防臭・その他の効果をもたらすシートを着脱自在になるように設置したインソール。
【発明の効果】
【０００５】  シート交換式なので、そのシートの吸水防臭・その他の効果の機能が落ちてくれば、そのシートを交換すれば良い
２枚のインソールの間にシートを設置する方式なので、シートは柔らかいもので良くシートは丸めたり、折りたたんだりして持ち運べるし、インソールを靴に挿入するときに、シートがつま先の方に寄ってしまうこともない。また、歩いてもシートにしわが寄ってしまうこともない。
２枚のインソールの間にシートを設置する方式なので、シートの交換には手間がかからない。
【発明を実施するための最良の形態】
【０００６】  以下、本発明の実施の形態を説明する。
（イ）それぞれ多数の小孔が貫通した上部インソール（１）と下部インソール（２）は、それぞれの先端どうしが蝶番（３）を介して接合し、自在に上下に開閉する。
（ロ）下部インソール（２）は枠（４）の部分が厚くなっており、下部インソール（２）は、ちょうど中央部分（９）が凹んだような形になっていて、その凹んだ部分にシート（８）が入るようになっている。
（ハ）下部インソール（２）の枠（４）には凹部（５）を数ヶ所設け、上部インソール（１）の枠（６）には、下部インソール（２）の枠（４）の凹部（５）に対応した位置に凸部（７）を設け、上部インソール（１）と下部インソール（２）が、接合できるようにする。
（ニ）下部インソール（２）の中央部分（９）に凸部（１０）を数ヶ所設け、またシート（８）には凸部（１０）に対応する位置に穴（１１）を設けて着脱自在にする。
本発明は以上のような構造で、下部インソール（２）の中央部分（９）に凸部（１０）とシート（８）に穴（１１）を設けることにより、シート（８）交換時にシート（８）は下部インソール（２）に保持され、本発明を水平に近い状態にしなくてもシート（８）交換は容易になる。
本発明を使用するときは、まず上部インソール（１）と下部インソール（２）の間を開き、下部インソール（２）の中央部分（９）にある凸部（１０）に、シート（８）の穴（１１）を合わせ接合し、シート（８）を下部インソール（２）に設置する。それから上部インソール（１）の枠（６）の凸部（７）と下部インソール（２）の枠（４）の凹部（５）を密着し、上部インンール（１）と下部インソール（２）の間を閉じ、靴に挿入する。
シート（８）の機能が落ちてくれば、シート（８）は適宜交換する。シート（８）は丸めて持ち運べるので、例えば２枚を丸めて１パックにしておけば携帯にも便利だし、シート（８）を芳香剤を含ませたシートにする場合など香りが逃げない。
【図面の簡単な説明】
【０００７】
【図１】本発明の斜視図
【図２】本発明の使用方法を示す斜視図
【符号の説明】
【０００８】  １  上部インソール
２  下部インソール
３  蝶番
４  枠
５  凹部
６  枠
７  凸部
８  シート
９  中央部分
１０  凸部
１１  穴
【図１】
2008302177.tif 000003
【図２】
2008302177.tif 000004
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
多数の小孔が貫通した上下２枚のインソールを組み合わせ、それが蝶番で開閉できるようにし、その２枚のインソールのうち１枚に枠を設け、その枠の内側に、吸水防臭・その他の効果をもたらすシートを着脱自在になるように設置し、その２枚のインソールが結合し、一体となるシート交換式インソール。
【請求項２】
上下２枚のインソールのうち、１枚に凸部を数ケ所付け、それに対応した位置にシートに穴を設け、シートを着脱自在にした請求項１のシート交換式インソール。
【請求項３】
上下２枚のインソールのうち、枠を設けたインソールの枠の部分に結合部を設け、またもう一つのインソールにはそれに対応する部分にその結合部を設け、それがかみ合って結合し、２枚のインソールが一体となる請求項１のシート交換式インソール。
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
多数の小孔が貫通した上下２枚のインソールを組み合わせ、それが開閉できるようにし、その２枚のインソールのうち１枚の枠を厚くし、その枠の内側に、吸水防臭の効果をもたらすシートを着脱自在になるように設置し、その２枚のインソールが結合し、一体となるシート交換式インソール。
【請求項２】
上下２枚のインソールのうち、１枚に凸部を数ケ所付け、それに対応した位置にシートに穴を設け、シートを着脱自在にした請求項１のシート交換式インソール。
【請求項３】
上下２枚のインソールそれぞれの枠の部分に結合部を設け、それぞれがお互いにかみ合って結合し、２枚のインソールが一体となる請求項１のシート交換式インソール。